(57)【要約】  本発明は、信号伝送方法、ネットワーク設備及び端末設備を開示する。当該信号伝送方法は、同期信号、ブロードキャスト信号、共通制御チャネル信号、共通参照信号、測定参照信号のうちの少なくとも一つを含むダウンリンク信号の時間周波数リソースの位置を確定し、当該ダウンリンク信号の時間周波数リソースの位置は、所定の時間内の搬送波の複数の周波数ポイントに位置し、当該複数の周波数ポイントは、当該搬送波の帯域幅内の部分的な周波数ポイントであることと、当該ダウンリンク信号の時間周波数リソースの位置に基づいて、当該ダウンリンク信号を送信することとを含む。本発明の実施例における信号伝送方法、ネットワーク設備及び端末設備は、端末設備の通信効率を向上させることができる。
2019521539.tif 000002
【特許請求の範囲】
【請求項１】
信号伝送方法であって、
同期信号、ブロードキャスト信号、共通制御チャネル信号、共通参照信号、測定参照信号のうちの少なくとも一つを含むダウンリンク信号の時間周波数リソースの位置を確定し、前記ダウンリンク信号の時間周波数リソースの位置は、所定の時間内の搬送波の複数の周波数ポイントに位置し、前記複数の周波数ポイントは、前記搬送波の帯域幅内の部分的な周波数ポイントであることと、
前記ダウンリンク信号の時間周波数リソースの位置に基づいて、前記ダウンリンク信号を送信することとを含む信号伝送方法。
【請求項２】
前記ダウンリンク信号は、同期信号を含み、
前記ダウンリンク信号の時間周波数リソースの位置に基づいて、前記ダウンリンク信号を送信することは、
前記複数の周波数ポイントで周期的に前記同期信号を送信することを含むことを特徴とする
請求項１に記載の信号伝送方法。
【請求項３】
前記複数の周波数ポイント中の異なる周波数ポイントで前記同期信号を送信する周期は、同じであるか又は異なることを特徴とする
請求項２に記載の信号伝送方法。
【請求項４】
前記複数の周波数ポイント中の異なる周波数ポイントで前記同期信号を送信することに使用されるシーケンスは、同じであるか又は異なることを特徴とする
請求項２又は３に記載の信号伝送方法。
【請求項５】
前記ダウンリンク信号は、ブロードキャスト信号を含み、
前記ダウンリンク信号の時間周波数リソースの位置に基づいて、前記ダウンリンク信号を送信することは、
前記複数の周波数ポイントで周期的に前記ブロードキャスト信号を送信することを含むことを特徴とする
請求項１乃至４のいずれか１項に記載の信号伝送方法。
【請求項６】
前記ダウンリンク信号は、共通制御チャネル信号又は共通参照信号を含み、前記共通制御チャネル信号又は共通参照信号の時間周波数リソースの位置は、ダウンリンク制御領域内に位置し、前記ダウンリンク制御領域は、無線フレーム内の前記複数の周波数ポイントに位置し、前記ダウンリンク制御領域の前記無線フレーム内での時間領域の長さは、前記無線フレームの長さより小さいことを特徴とする請求項１乃至５のいずれか１項に記載の信号伝送方法。
【請求項７】
前記信号伝送方法は、
端末設備に前記ダウンリンク制御領域の情報を明示的又は黙示的に指示することをさらに含むことを特徴とする
請求項６に記載の信号伝送方法。
【請求項８】
前記端末設備に前記ダウンリンク制御領域の情報を明示的又は黙示的に指示することは、
前記複数の周波数ポイント中のそれぞれの周波数ポイントの開始位置と終了位置の情報と、
前記ダウンリンク制御領域が位置する前記無線フレームと前記無線フレームのサブフレームとの情報と、
前記ダウンリンク制御領域が、前記同期信号を送信する周波数ポイントに位置するかどうかを指示するための、前記同期信号に使用されたシーケンスの情報と、
前記ダウンリンク制御領域が前記同期信号と前記ブロードキャスト信号とを送信する周波数ポイントに位置するかどうかを指示するための、前記同期信号と前記ブロードキャスト信号の相対的な時間周波数位置の情報と、
前記ブロードキャスト信号の内容と、
前記ブロードキャスト信号が指示する基本的なシステム情報の内容と、
のうちの少なくとも一つを通じて、前記端末設備に前記ダウンリンク制御領域の情報を明示的又は黙示的に指示することを含むことを特徴とする
請求項７に記載の信号伝送方法。
【請求項９】
前記ダウンリンク信号は、測定参照信号を含み、
前記ダウンリンク信号の時間周波数リソースの位置に基づいて、前記ダウンリンク信号を送信することは、
前記複数の周波数ポイントの非ダウンリンク制御領域内で周期的に前記測定参照信号を送信することを含むことを特徴とする
請求項１乃至８のいずれか１項に記載の信号伝送方法。
【請求項１０】
前記信号伝送方法は、
前記測定参照信号の時間周波数リソースの位置とダウンリンクデータの時間周波数リソースの位置が衝突する場合、ホールパンチの方式を使用して、前記測定参照信号又は前記ダウンリンクデータを送信することをさらに含むことをを特徴とする
請求項９に記載の信号伝送方法。
【請求項１１】
信号伝送方法であって、
同期信号、ブロードキャスト信号、共通制御チャネル信号、共通参照信号、測定参照信号のうちの少なくとも一つを含むダウンリンク信号の時間周波数リソースの位置を確定し、前記ダウンリンク信号の時間周波数リソースの位置は、所定の時間内の搬送波の複数の周波数ポイントに位置し、前記複数の周波数ポイントは、前記搬送波の帯域幅内の部分的な周波数ポイントであることと、
前記ダウンリンク信号の時間周波数リソースの位置に基づいて、ネットワーク設備が送信した前記ダウンリンク信号を受信することとを含む信号伝送方法。
【請求項１２】
前記ダウンリンク信号は、同期信号を含み、
前記ダウンリンク信号の時間周波数リソースの位置に基づいて、ネットワーク設備が送信した前記ダウンリンク信号を受信することは、
前記複数の周波数ポイントで、前記ネットワーク設備が周期的に送信した前記同期信号を受信することを含むことを特徴とする
請求項１１に記載の信号伝送方法。
【請求項１３】
前記複数の周波数ポイント中の異なる周波数ポイントで前記同期信号を送信する周期は、同じであるか又は異なることを特徴とする
請求項１２に記載の信号伝送方法。
【請求項１４】
前記複数の周波数ポイント中の異なる周波数ポイントで前記同期信号を送信することに使用されるシーケンスは、同じであるか又は異なることを特徴とする
請求項１２又は１３に記載の信号伝送方法。
【請求項１５】
前記ダウンリンク信号は、ブロードキャスト信号を含み、
前記ダウンリンク信号の時間周波数リソースの位置に基づいて、前記ネットワーク設備が送信したダウンリンク信号を受信することは、
前記複数の周波数ポイントで、前記ネットワーク設備が周期的に送信した前記ブロードキャスト信号を受信することを含むことを特徴とする
請求項１１乃至１４のいずれか１項に記載の信号伝送方法。
【請求項１６】
前記ダウンリンク信号は、共通制御チャネル信号又は共通参照信号を含み、前記共通制御チャネル信号又は共通参照信号の時間周波数リソースの位置は、ダウンリンク制御領域内に位置し、前記ダウンリンク制御領域は、無線フレーム内の前記複数の周波数ポイントに位置し、前記ダウンリンク制御領域の前記無線フレーム内での時間領域の長さは、前記無線フレームの長さより小さいことを特徴とする請求項１１乃至１５のいずれか１項に記載の信号伝送方法。
【請求項１７】
前記信号伝送方法は、
前記ネットワーク設備が明示的又は黙示的に指示する前記ダウンリンク制御領域の情報を取得することをさらに含み、
前記ダウンリンク信号の時間周波数リソースの位置を確定することは、
前記ダウンリンク制御領域の情報に基づいて、前記ダウンリンク制御領域を確定することを含むことを特徴とする
請求項１６に記載の信号伝送方法。
【請求項１８】
前記ダウンリンク制御領域の情報に基づいて、前記ダウンリンク制御領域を確定することは、
前記複数の周波数ポイント中のそれぞれの周波数ポイントの開始位置と終了位置の情報と、
前記ダウンリンク制御領域が位置する前記無線フレームと前記無線フレームのサブフレームとの情報と、
前記ダウンリンク制御領域が、前記同期信号を送信する周波数ポイントに位置するかどうかを指示するための、前記同期信号に使用されたシーケンスの情報と、
前記ダウンリンク制御領域が前記同期信号と前記ブロードキャスト信号とを送信する周波数ポイントに位置するかどうかを指示するための、前記同期信号と前記ブロードキャスト信号の相対的な時間周波数位置の情報と、
前記ブロードキャスト信号の内容と、
前記ブロードキャスト信号が指示する基本的なシステム情報の内容と、
のうちの少なくとも一つを通じて前記ダウンリンク制御領域を確定することを含むことを特徴とする
請求項１７に記載の信号伝送方法。
【請求項１９】
前記ダウンリンク信号は、測定参照信号を含み、
前記ダウンリンク信号の時間周波数リソースの位置に基づいて、前記ネットワーク設備が送信した前記ダウンリンク信号を受信することは、
前記複数の周波数ポイントの非ダウンリンク制御領域内で、前記ネットワーク設備が周期的に送信した前記測定参照信号を受信することを含むことを特徴とする
請求項１１乃至１８のいずれか１項に記載の信号伝送方法。
【請求項２０】
ネットワーク設備であって、
同期信号、ブロードキャスト信号、共通制御チャネル信号、共通参照信号、測定参照信号のうちの少なくとも一つを含むダウンリンク信号の時間周波数リソースの位置を確定するように構成され、前記ダウンリンク信号の時間周波数リソースの位置は、所定の時間内の搬送波の複数の周波数ポイントに位置し、前記複数の周波数ポイントは、前記搬送波の帯域幅内の部分的な周波数ポイントである確定モジュールと、
前記ダウンリンク信号の時間周波数リソースの位置に基づいて、前記ダウンリンク信号を送信するように構成される送信モジュールとを含むネットワーク設備。
【請求項２１】
前記ダウンリンク信号は、同期信号を含み、
前記送信モジュールは、具体的に、前記複数の周波数ポイントで周期的に前記同期信号を送信するように構成されることを特徴とする
請求項２０に記載のネットワーク設備。
【請求項２２】
前記複数の周波数ポイント中の異なる周波数ポイントで前記同期信号を送信する周期は、同じであるか又は異なることを特徴とする
請求項２１に記載のネットワーク設備。
【請求項２３】
前記複数の周波数ポイント中の異なる周波数ポイントで前記同期信号を送信することに使用されるシーケンスは、同じであるか又は異なることを特徴とする
請求項２１又は２２に記載のネットワーク設備。
【請求項２４】
前記ダウンリンク信号は、ブロードキャスト信号を含み、
前記送信モジュールは、具体的に、前記複数の周波数ポイントで周期的に前記ブロードキャスト信号を送信するように構成されることを特徴とする
請求項２０乃至２３のいずれか１項に記載のネットワーク設備。
【請求項２５】
前記ダウンリンク信号は、共通制御チャネル信号又は共通参照信号を含み、前記共通制御チャネル信号又は共通参照信号の時間周波数リソースの位置は、ダウンリンク制御領域内に位置し、前記ダウンリンク制御領域は、無線フレーム内の前記複数の周波数ポイントに位置し、前記ダウンリンク制御領域の前記無線フレーム内での時間領域の長さは、前記無線フレームの長さより小さいことを特徴とする
請求項２０乃至２４のいずれか１項に記載のネットワーク設備。
【請求項２６】
前記送信モジュールは、端末設備に前記ダウンリンク制御領域の情報を明示的又は黙示的に指示するようにさらに構成されることを特徴とする
請求項２５に記載のネットワーク設備。
【請求項２７】
前記送信モジュールは、具体的に、
前記複数の周波数ポイント中のそれぞれの周波数ポイントの開始位置と終了位置の情報と、
前記ダウンリンク制御領域が位置する前記無線フレームと前記無線フレームのサブフレームとの情報と、
前記ダウンリンク制御領域が前記同期信号を送信する周波数ポイントに位置するかどうかを指示するための、前記同期信号に使用されたシーケンスの情報と、
前記ダウンリンク制御領域が前記同期信号と前記ブロードキャスト信号とを送信する周波数ポイントに位置するかどうかを指示するための、前記同期信号と前記ブロードキャスト信号の相対的な時間周波数位置の情報と、
前記ブロードキャスト信号の内容と、
前記ブロードキャスト信号が指示する基本的なシステム情報の内容と、
のうちの少なくとも一つを通じて前記端末設備に前記ダウンリンク制御領域の情報を明示的又は黙示的に指示するように構成されることを特徴とする
請求項２６に記載のネットワーク設備。
【請求項２８】
前記ダウンリンク信号は、測定参照信号を含み、
前記送信モジュールは、具体的に、前記複数の周波数ポイントの非ダウンリンク制御領域内で周期的に前記測定参照信号を送信するように構成されることを特徴とする
請求項２０乃至２７のいずれか１項に記載のネットワーク設備。
【請求項２９】
前記送信モジュールは、前記測定参照信号の時間周波数リソースの位置とダウンリンクデータの時間周波数リソースの位置が衝突する場合、ホールパンチの方式を使用して前記測定参照信号又は前記ダウンリンクデータを送信するようにさらに構成されることを特徴とする
請求項２８に記載のネットワーク設備。
【請求項３０】
端末設備であって、
同期信号、ブロードキャスト信号、共通制御チャネル信号、共通参照信号、測定参照信号のうちの少なくとも一つを含むダウンリンク信号の時間周波数リソースの位置を確定するように構成され、前記ダウンリンク信号の時間周波数リソースの位置は、所定の時間内の搬送波の複数の周波数ポイントに位置し、前記複数の周波数ポイントは、前記搬送波の帯域幅内の部分的な周波数ポイントである確定モジュールと、
前記ダウンリンク信号の時間周波数リソースの位置に基づいて、ネットワーク設備が送信した前記ダウンリンク信号を受信するように構成される受信モジュールとを含む端末設備。
【請求項３１】
前記ダウンリンク信号は、同期信号を含み、
前記受信モジュールは、具体的に、前記複数の周波数ポイントで、前記ネットワーク設備が周期的に送信した前記同期信号を受信するように構成されることを特徴とする
請求項３０に記載の端末設備。
【請求項３２】
前記複数の周波数ポイント中の異なる周波数ポイントで前記同期信号を送信する周期は、同じであるか又は異なることを特徴とする
請求項３１に記載の端末設備。
【請求項３３】
前記複数の周波数ポイント中の異なる周波数ポイントで前記同期信号を送信することに使用されるシーケンスは、同じであるか又は異なることを特徴とする
請求項３１又は３２に記載の端末設備。
【請求項３４】
前記ダウンリンク信号は、ブロードキャスト信号を含み、
前記受信モジュールは、具体的に、前記複数の周波数ポイントで、前記ネットワーク設備が周期的に送信した前記ブロードキャスト信号を受信するように構成されることを特徴とする
請求項３０乃至３３のいずれか１項に記載の端末設備。
【請求項３５】
前記ダウンリンク信号は、共通制御チャネル信号又は共通参照信号を含み、前記共通制御チャネル信号又は共通参照信号の時間周波数リソースの位置は、ダウンリンク制御領域内に位置し、前記ダウンリンク制御領域は、無線フレーム内の前記複数の周波数ポイントに位置し、前記ダウンリンク制御領域の前記無線フレーム内での時間領域の長さは、前記無線フレームの長さより小さいことを特徴とする
請求項３０乃至３４のいずれか１項に記載の端末設備。
【請求項３６】
前記受信モジュールは、前記ネットワーク設備が明示的又は黙示的に指示する前記ダウンリンク制御領域の情報を取得するようにさらに構成され、
前記確定モジュールは、具体的に、前記ダウンリンク制御領域の情報に基づいて、前記ダウンリンク制御領域を確定するように構成されることを特徴とする
請求項３５に記載の端末設備。
【請求項３７】
前記確定モジュールは、具体的に、
前記複数の周波数ポイント中のそれぞれの周波数ポイントの開始位置と終了位置の情報と、
前記ダウンリンク制御領域が位置する前記無線フレームと前記無線フレームのサブフレームとの情報と、
前記ダウンリンク制御領域が前記同期信号を送信する周波数ポイントに位置するかどうかを指示するための、前記同期信号に使用されたシーケンスの情報と、
前記ダウンリンク制御領域が前記同期信号と前記ブロードキャスト信号とを送信する周波数ポイントに位置するかどうかを指示するための、前記同期信号と前記ブロードキャスト信号の相対的な時間周波数位置の情報と、
前記ブロードキャスト信号の内容と、
前記ブロードキャスト信号が指示する基本的なシステム情報の内容と、
のうちの少なくとも一つを通じて前記ダウンリンク制御領域を確定するように構成されることを特徴とする
請求項３６に記載の端末設備。
【請求項３８】
前記ダウンリンク信号は、測定参照信号を含み、
前記受信モジュールは、具体的に、前記複数の周波数ポイントの非ダウンリンク制御領域内で、前記ネットワーク設備が周期的に送信した前記測定参照信号を受信するように構成されることを特徴とする
請求項３０乃至３７のいずれか１項に記載の端末設備。
【発明の詳細な説明】
【技術分野】
【０００１】
本発明は、通信分野に関し、より具体的には、信号伝送方法、ネットワーク設備及び端末設備に関する。
【背景技術】
【０００２】
５Ｇシステムにおける搬送波は幅の変化の範囲が比較的大きくて、例えば、最大帯域幅は８０ＭＨｚ以上である。現在のロング・ターム・エボリューション（Ｌｏｎｇ  Ｔｅｒｍ  Ｅｖｏｌｕｔｉｏｎ：ＬＴＥと略称）／４Ｇ中の同期信号、ブロードキャスト信号は、搬送波の中心周波数ポイントでのみ送信される。広い帯域幅の搬送波である５Ｇシステムでは、ＬＴＥ／４Ｇの中の単一の同期チャネル、ブロードキャストチャネル方式は、端末設備の高速サーチ要求を満足させにくくて、端末設備の通信効率に影響を与える。
【０００３】
したがって、端末設備の通信効率を向上させることは、広い帯域幅である搬送波通信システムで早急に解決しなければならない技術的課題である。
【発明の概要】
【発明が解決しようとする課題】
【０００４】
本発明の実施例は、端末設備の通信効率を向上させることができる信号伝送方法、ネットワーク設備及び端末設備を提供する。
【課題を解決するための手段】
【０００５】
第１の態様において、
同期信号、ブロードキャスト信号、共通制御チャネル信号、共通参照信号、測定参照信号のうちの少なくとも一つを含むダウンリンク信号の時間周波数リソースの位置を確定し、当該ダウンリンク信号の時間周波数リソースの位置は、所定の時間内の搬送波の複数の周波数ポイントに位置し、当該複数の周波数ポイントは、当該搬送波の帯域幅内の部分的な周波数ポイントであることと、
当該ダウンリンク信号の時間周波数リソースの位置に基づいて、当該ダウンリンク信号を送信することとを含む信号伝送方法を提供する。
【０００６】
本発明の実施例における信号伝送方法は、所定の時間内の搬送波の複数の周波数ポイントでダウンリンク信号を送信して、端末設備の高速サーチ要求を満足させることができるので、端末設備の通信効率を向上させることができる。
【０００７】
所定の時間内の搬送波の複数の周波数ポイントで送信することは、一定期間内で周期的に当該複数の周波数ポイントにおいて繰り返して送信しても良く、一定期間内の一つの周期で一つの周波数ポイントにおいいて送信し、次の周期に他の周波数ポイントで送信してもよい。
【０００８】
一部可能な実施形態において、当該ダウンリンク信号は、同期信号を含み、
当該ダウンリンク信号の時間周波数リソースの位置に基づいて、当該ダウンリンク信号を送信することは、
当該複数の周波数ポイントで周期的に当該同期信号を送信することを含む。
【０００９】
一部可能な実施形態において、当該複数の周波数ポイントの異なる周波数ポイントで当該同期信号を送信する周期は、同じであるか又は異なる。
【００１０】
一部可能な実施形態において、当該複数の周波数ポイントの異なる周波数ポイントで当該同期信号を送信することに使用されるシーケンスは、同じであるか又は異なる。
【００１１】
一部可能な実施形態において、当該ダウンリンク信号は、ブロードキャスト信号を含み、
当該ダウンリンク信号の時間周波数リソースの位置に基づいて、当該ダウンリンク信号を送信することは、
当該複数の周波数ポイントで周期的に当該ブロードキャスト信号を送信することを含む。
【００１２】
選択的に、ブロードキャスト信号と同期信号は、対応関係を有することができる。
【００１３】
一部可能な実施形態において、当該ダウンリンク信号は、共通制御チャネル信号又は共通参照信号を含み、当該共通制御チャネル信号又は共通参照信号の時間周波数リソースの位置は、ダウンリンク制御領域内に位置し、当該ダウンリンク制御領域は、無線フレーム内の当該複数の周波数ポイントに位置し、当該ダウンリンク制御領域の当該無線フレーム内での時間領域の長さは、当該無線フレームの長さより小さい。
【００１４】
一部可能な実施形態において、当該信号伝送方法は、
端末設備に当該ダウンリンク制御領域の情報を明示的又は黙示的に指示することをさらに含む。
【００１５】
一部可能な実施形態において、端末設備に当該ダウンリンク制御領域の情報を明示的又は黙示的に指示することは、
当該複数の周波数ポイント中のそれぞれの周波数ポイントの開始位置と終了位置の情報と、
当該ダウンリンク制御領域が位置する当該無線フレームと当該無線フレームのサブフレームとの情報と、
当該ダウンリンク制御領域が、当該同期信号を送信する周波数ポイントに位置するかどうかを指示するための、当該同期信号に使用されたシーケンスの情報と、
当該ダウンリンク制御領域が当該同期信号と当該ブロードキャスト信号とを送信する周波数ポイントに位置するかどうかを指示するための、当該同期信号と当該ブロードキャスト信号の相対的な時間周波数位置の情報と、
当該ブロードキャスト信号の内容と、
当該ブロードキャスト信号が指示する基本的なシステム情報の内容とのうちの少なくとも一つを通じて、当該端末設備に当該ダウンリンク制御領域の情報を明示的又は黙示的に指示することを含む。
【００１６】
一部可能な実施形態において、当該ダウンリンク信号は、測定参照信号を含み、
当該ダウンリンク信号の時間周波数リソースの位置に基づいて、当該ダウンリンク信号を送信することは、
当該複数の周波数ポイントの非ダウンリンク制御領域内で周期的に当該測定参照信号を送信することを含む。
【００１７】
一部可能な実施形態において、当該信号伝送方法は、
当該測定参照信号の時間周波数リソースの位置とダウンリンクデータの時間周波数リソースの位置が衝突する場合、ホールパンチの方式を使用して、当該測定参照信号又は当該ダウンリンクデータを送信することをさらに含む。
【００１８】
本発明の実施形態の信号伝送方法は、端末設備がセルサーチ、待機又は接続状態での測定を行う速度と精度を向上させることができるので、端末設備の通信効率を向上させることができる。
【００１９】
第２の態様において、
同期信号、ブロードキャスト信号、共通制御チャネル信号、共通参照信号、測定参照信号のうちの少なくとも一つを含むダウンリンク信号の時間周波数リソースの位置を確定し、当該ダウンリンク信号の時間周波数リソースの位置は、所定の時間内の搬送波の複数の周波数ポイントに位置し、当該複数の周波数ポイントは、当該搬送波の帯域幅内の部分的な周波数ポイントであることと、
当該ダウンリンク信号の時間周波数リソースの位置に基づいて、ネットワーク設備が送信した当該ダウンリンク信号を受信することとを含む信号伝送方法を提供する。
【００２０】
本発明の実施例における信号伝送方法は、所定の時間内の搬送波の複数の周波数ポイントでダウンリンク信号を受信して、端末設備の高速サーチ要求を満足させることができるので、端末設備の通信効率を向上させることができる。
【００２１】
一部可能な実施形態において、当該ダウンリンク信号は、同期信号を含み、
当該ダウンリンク信号の時間周波数リソースの位置に基づいて、ネットワーク設備が送信した当該ダウンリンク信号を受信することは、
当該複数の周波数ポイントで、当該ネットワーク設備が周期的に送信した当該同期信号を受信することを含む。
【００２２】
一部可能な実施形態において、当該複数の周波数ポイント中の異なる周波数ポイントで当該同期信号を送信する周期は、同じであるか又は異なる。
【００２３】
一部可能な実施形態において、当該複数の周波数ポイント中の異なる周波数ポイントで当該同期信号を送信することに使用されるシーケンスは、同じであるか又は異なる。
【００２４】
一部可能な実施形態において、当該ダウンリンク信号は、ブロードキャスト信号を含み、
当該ダウンリンク信号の時間周波数リソースの位置に基づいて、ネットワーク設備が送信した当該ダウンリンク信号を受信することは、
当該複数の周波数ポイントで、当該ネットワーク設備が周期的に送信した当該ブロードキャスト信号を受信することを含む。
【００２５】
一部可能な実施形態において、当該ダウンリンク信号は、共通制御チャネル信号又は共通参照信号を含み、当該共通制御チャネル信号又は共通参照信号の時間周波数リソースの位置は、ダウンリンク制御領域内に位置し、当該ダウンリンク制御領域は、無線フレーム内の当該複数の周波数ポイントに位置し、当該ダウンリンク制御領域の当該無線フレーム内での時間領域の長さは、当該無線フレームの長さより小さい。
【００２６】
一部可能な実施形態において、当該信号伝送方法は、
当該ネットワーク設備が明示的又は黙示的に指示する当該ダウンリンク制御領域の情報を取得することをさらに含み、
ダウンリンク信号の時間周波数リソースの位置を確定することは、
当該ダウンリンク制御領域の情報に基づいて、当該ダウンリンク制御領域を確定することを含む。
【００２７】
一部可能な実施形態において、当該ダウンリンク制御領域の情報に基づいて、当該ダウンリンク制御領域を確定することは、
当該複数の周波数ポイント中のそれぞれの周波数ポイントの開始位置と終了位置の情報と、
当該ダウンリンク制御領域が位置する当該無線フレームと当該無線フレームのサブフレームとの情報と、
当該ダウンリンク制御領域が、当該同期信号を送信する周波数ポイントに位置するかどうかを指示するための、当該同期信号に使用されたシーケンスの情報と、
当該ダウンリンク制御領域が当該同期信号と当該ブロードキャスト信号とを送信する周波数ポイントに位置するかどうかを指示するための、当該同期信号と当該ブロードキャスト信号の相対的な時間周波数位置の情報と、
当該ブロードキャスト信号の内容と、
当該ブロードキャスト信号が指示する基本的なシステム情報の内容とのうちの少なくとも一つを通じて、当該ダウンリンク制御領域を確定することを含む。
【００２８】
一部可能な実施形態において、当該ダウンリンク信号は、測定参照信号を含み、
当該ダウンリンク信号の時間周波数リソースの位置に基づいて、ネットワーク設備が送信した当該ダウンリンク信号を受信することは、
当該複数の周波数ポイントの非ダウンリンク制御領域内で、当該ネットワーク設備が周期的に送信した当該測定参照信号を受信することを含む。
【００２９】
本発明の実施例における信号伝送方法は、端末設備がセルサーチ、待機又は接続状態での測定を行う速度と精度を向上させることができるので、端末設備の通信効率を向上させることができる。
【００３０】
第３の態様において、第１の態様又は第１の態様の任意の可能な実施形態による方法を実行するように構成されるモジュールを含むネットワーク設備を提供する。
【００３１】
第４の態様において、第２の態様又は第２の態様の任意の可能な実施形態による方法を実行するように構成されるモジュールを含む端末設備を提供する。
【００３２】
第５の態様において、ネットワーク設備を提供する。当該ネットワーク設備は、プロセッサ、メモリ及び通信インタフェースを含む。プロセッサは、メモリ及び通信インタフェースと接続される。メモリは、命令を記憶するように構成され、プロセッサは、当該命令を実行するように構成され、通信インタフェースは、プロセッサの制御の下で、他のネットワークエレメントとの通信を行うように構成される。当該プロセッサが、当該メモリに記憶された命令を実行する時に、当該プロセッサが、第１の態様又は第１の態様の任意の可能な実施形態による方法を実行するようにする。
【００３３】
第６の態様において、端末設備を提供する。当該端末設備は、プロセッサ、メモリ及び通信インタフェースを含む。プロセッサは、メモリ及び通信インタフェースと接続される。メモリは、命令を記憶するように構成され、プロセッサは、当該命令を実行するように構成され、通信インタフェースは、プロセッサの制御の下で、他のネットワークエレメントと通信を行うように構成される。当該プロセッサが、当該メモリに記憶された命令を実行する時に、当該プロセッサが第２の態様又は第２の態様の任意の可能な実施形態による方法を実行するようにする。
【００３４】
第７の態様において、第１の態様又は第１の態様の任意の可能な実施形態による方法を実行するための命令が含まれているコンピュータプログラムを記憶するように構成されるコンピュータ読み取り可能な媒体を提供する。
【００３５】
第８の態様において、第２の態様又は第２の態様の任意の可能な実施形態による方法を実行するための命令が含まれているコンピュータプログラムを記憶するように構成される、コンピュータ読み取り可能な媒体を提供する。
【図面の簡単な説明】
【００３６】
【図１】本発明の実施例の適用場面の概略図である。
【図２】本発明の実施例における信号伝送方法の概略的なフローチャートである。
【図３】本発明の実施例におけるダウンリンク信号の時間周波数リソースの位置の概略図である。
【図４】本発明の他の実施例におけるダウンリンク信号の時間周波数リソースの位置の概略図である。
【図５】本発明のさらなる他の実施例におけるダウンリンク信号の時間周波数リソースの位置の概略図である。
【図６】本発明のさらなる他の実施例におけるダウンリンク信号の時間周波数リソースの位置の概略図である。
【図７】本発明さらなる他の実施例におけるダウンリンク信号の時間周波数リソースの位置の概略図である。
【図８】本発明の他の実施例における信号伝送方法の概略的なフローチャートである。
【図９】本発明の実施例におけるネットワーク設備の概略的なブロック図である。
【図１０】本発明の実施例における端末設備の概略的なブロック図である。
【図１１】本発明の他の実施例におけるネットワーク設備の概略的な構成図である。
【図１２】本発明の他の実施例における端末設備の概略的な構成図である。
【発明を実施するための形態】
【００３７】
本発明の実施例の技術的解決策をより明確に説明するために、当該において、本発明の実施例に対する説明のために必要な図面について簡単に説明し。明らかに、以下の説明における図面は、本発明の一部実施例だけであり、当業者にとっては、創造的な労力を払うことなく、これらの図面に従って他の図面を得ることができる。
【００３８】
以下は、本発明の実施形態中の図面に合わせて、本発明の実施形態中の技術的解決策を明確、完全に説明し、明らかに、記載された実施例は本発明の全部の実施例ではなく、ただ一部の実施例であるのは明らかである。本発明の実施例に基づいて、当業者が創造的な労力を払うことなくて取得される全ての他の実施例は本発明の範囲内である。
【００３９】
理解すべきこととして、本発明の実施例中の技術的解決手段は、様々な通信システムは、例えば、グローバル移動通信（Ｇｌｏｂａｌ  Ｓｙｓｔｅｍ  ｏｆ  Ｍｏｂｉｌｅ  ｃｏｍｍｕｎｉｃａｔｉｏｎ：ＧＳＭと略称）システム、符号分割多元接続（Ｃｏｄｅ  Ｄｉｖｉｓｉｏｎ  Ｍｕｌｔｉｐｌｅ  Ａｃｃｅｓｓ：ＣＤＭＡと略称）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ：ＷＣＤＭＡと略称）システム、汎用パケット無線サービス（Ｇｅｎｅｒａｌ  Ｐａｃｋｅｔ  Ｒａｄｉｏ  Ｓｅｒｖｉｃｅ：ＧＰＲＳと略称）、ロング・ターム・エボリューション（Ｌｏｎｇ  Ｔｅｒｍ  Ｅｖｏｌｕｔｉｏｎ：ＬＴＥと略称）システム、汎用移動通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ：ＵＭＴＳと略称）など、現在の通信システムは、特に将来の５Ｇのシステムに適用可能である。
【００４０】
本発明の実施例における端末設備は、ユーザー設備（Ｕｓｅｒ  Ｅｑｕｉｐｍｅｎｔ：ＵＥと略称）、アクセス端末、ユーザーユニット、ユーザーステーション、モバイルステーション、移動局、遠隔ステーション、遠隔端末、モバイル設備、ユーザー端末、端末、無線通信設備、ユーザ代理又はユーザーデバイスなどを指すことができる。アクセス端末は、セルラーフォン、無線電話、セッション開始プロトコル（Ｓｅｓｓｉｏｎ  Ｉｎｉｔｉａｔｉｏｎ  Ｐｒｏｔｏｃｏｌ：ＳＩＰと略称）電話、無線加入者回線（Ｗｉｒｅｌｅｓｓ  Ｌｏｃａｌ  Ｌｏｏｐ：ＷＬＬと略称）ステーション、個人情報端末（Ｐｅｒｓｏｎａｌ  Ｄｉｇｉｔａｌ  Ａｓｓｉｓｔａｎｔ：ＰＤＡと略称）、無線通信機能を備える携帯用設備、コンピュータ設備又はワイヤレスモデムに接続されている他の処理設備、車載設備、ウェアラブル設備，将来５Ｇネットワーク中の設備又は将来進化型のＰＬＭＮネットワーク中の端末設備等であってもよい。
【００４１】
本発明の実施例におけるネットワーク設備は、端末設備との通信を行うための設備であっても良く、当該ネットワーク設備は、ＧＳＭ又はＣＤＭＡ中の基地局（Ｂａｓｅ  Ｔｒａｎｓｃｅｉｖｅｒ  Ｓｔａｔｉｏｎ：ＢＴＳと略称）であっても良く、ＷＣＤＭＡ中の基地局（ＮｏｄｅＢ：ＮＢ）であっても良く、またＬＴＥシステム中のエボリューション型基地局（Ｅｖｏｌｕｔｉｏｎａｌ  Ｎｏｄｅ  Ｂ：ｅＮＢ又はｅＮｏｄｅＢと略称）であっても良く、クラウドラジオアクセスネットワーク（Ｃｌｏｕｄ  Ｒａｄｉｏ  Ａｃｃｅｓｓ  Ｎｅｔｗｏｒｋ：ＣＲＡＮと略称）状況でのワイヤレスコントローラであっても良く、又は中継局、アクセスポイント、車載設備、ウェアラブル設備及び将来の５Ｇネットワーク中のネットワーク設備又は将来進化型ＰＬＭＮネットワーク中のネットワーク設備などであっても良い。
【００４２】
本発明の実施例における搬送波は、セルとして表現されてもよく、一つの通信システムとして表現されてもよい。即ち、本発明の実施例における一つの搬送波は、一つのセル、一つの通信システムに対応する。
【００４３】
図１は、本発明の実施例の適用場面の概略図である。図１中の通信システムは、ネットワーク設備、例えばｅＮｏｄｅＢ２０と、少なくとも一つの端末設備、例えばＵＥ  １０、ＵＥ  １１、ＵＥ  １２、ＵＥ  １３、ＵＥ  １４、ＵＥ  １５、ＵＥ  １６とＵＥ  １７を含むことができる。ｅＮｏｄｅＢ２０は、ＵＥ  １０乃至ＵＥ  １７のうち少なくとも一つの端末設備に通信サービスを提供して、コアネットワークにアクセスするために用いられる。ＵＥ  １０乃至ＵＥ  １７中の各端末設備は、ｅＮｏｄｅＢ２０が送信した同期信号、ブロードキャスト信号などをサーチして、ネットワークにアクセスすることによって、ネットワークとの通信を行う。広い帯域幅の搬送波のシステムでは、単一の同期チャネル、ブロードキャストチャネル方式は、端末設備の高速サーチ要求を満足させにくくて、端末設備の通信効率に影響を与える。本発明の実施例は、一つの搬送波／セルに複数のグループの同期信号、ブロードキャスト信号などを設定して、端末設備の高速サーチ要求を満足させることで、端末設備の通信効率を向上させる。
【００４４】
図２は、本発明の実施例における信号伝送方法２００の概略的なフローチャートである。当該信号伝送方法２００は、ネットワーク設備、例えば、図１中のｅＮｏｄｅＢ２０によって行われる。当該ネットワーク設備と端末設備は、一つの搬送波／セルで通信を行うことができる。説明の便宜上、以下搬送波を例に挙げて説明し、即ち、図２中の方法が一つの搬送波に対するものである。当該搬送波の帯域幅内に多くの周波数ポイントが含まれる。図２に示すように、当該信号伝送方法２００は、
同期信号、ブロードキャスト信号、共通制御チャネル信号、共通参照信号、測定参照信号のうちの少なくとも一つを含むダウンリンク信号の時間周波数リソースの位置を確定し、当該ダウンリンク信号の時間周波数リソースの位置は、当該時間内の搬送波の複数の周波数ポイントに位置し、当該複数の周波数ポイントは、当該搬送波の帯域幅内の部分的な周波数ポイントであるＳ２１０と、
当該ダウンリンク信号の時間周波数リソースの位置に基づいて、当該ダウンリンク信号を送信するＳ２２０とを含む。
【００４５】
本発明の実施例において、例えば、同期信号、ブロードキャスト信号、共通制御チャネル信号、共通参照信号、測定参照信号を含む、ダウンリンク信号の時間周波数リソースの位置は、所定の時間内の搬送波の複数の周波数ポイントに位置し、当該複数の周波数ポイントは、当該搬送波の帯域幅内の部分的な周波数ポイントである。つまり、当該ダウンリンク信号は、搬送波の単一の周波数ポイントにおいて送信されず、搬送波のすべての周波数ポイントにおいて送信されてもない。それによって、端末設備の高速サーチ要求を満足させるだけでなく、システムオーバーヘッドを節約することができるので、端末設備の通信効率を向上させることができる。
【００４６】
従って、本発明の実施例における信号伝送方法は、所定の時間内の搬送波の複数の周波数ポイントでダウンリンク信号を送信して、端末設備の高速サーチ要求を満足させることができるので、端末設備の通信効率を向上させることができる。
【００４７】
理解すべきこととして、本発明の実施例において、所定の時間は、一定期間を表し、本発明は、これに対して限定せず、例えば、当該所定の時間は、一つ又は複数の無線フレームであってもよく、一つ又は複数のサブフレーム又はシンボルであってもよい。所定の時間内の搬送波の複数の周波数ポイントで送信することは、一定期間内に周期的に当該複数の周波数ポイントで繰り返して送信することができ、一定期間内の一つの周期で一つの周波数ポイントにおいて送信し、次の周期に他の周波数ポイントで送信してもよい。
【００４８】
理解すべきこととして、本発明の実施例では、様々なダウンリンク信号の時間周波数リソースの位置のパターンは、予め設定することができ、ネットワーク設備と端末設備は、予め設定されたパターンに基づいてダウンリンク信号の時間周波数リソースの位置を確定し、様々なダウンリンク信号の時間周波数リソースの位置のパターンは、ネットワーク設備によって確定され、端末設備に送信されることもでき、本発明は、これに対して限定しない。
【００４９】
以下、様々なダウンリンク信号について、本発明の実施例で具体的に説明する。
【００５０】
選択的に、本発明の一実施例において、当該ダウンリンク信号は、同期信号を含み、
この場合には、ネットワーク設備は、当該複数の周波数ポイントで周期的に当該同期信号を送信することができる。
【００５１】
具体的には、端末設備が同期信号を迅速にサーチすることができるように、本発明の実施例において、ネットワーク設備は、搬送波の複数の周波数ポイントで周期的に同期信号を送信して、即ち、複数の周波数ポイントで同期信号を繰り返して送信する。即ち、本発明の実施例は、複数のグループの同期信号（ｓｙｎｃｈｒｏｎｉｚａｔｉｏｎ  ｓｉｇｎａｌ：ＳＳと略称）、一般的に特定の数値シーケンスを設定し、それぞれ複数の周波数ポイントで同期信号を繰り返して送信する。例えば、同期信号の時間周波数リソースの位置は、図３に示されるようになってもよい。
【００５２】
例えば、もし一つの５Ｇ搬送波／セルの周波数帯域幅が８０ＭＨｚである場合、２０ＭＨｚの周波数領域のリソース毎に、時間的周期で繰り返す１グループの同期信号を設定し、端末が任意の１グループの同期信号さえを検出すれば、セルとの同期を行うことができる。
【００５３】
選択的に、当該複数の周波数ポイントの異なる周波数ポイントで当該同期信号を送信する周期は、同じであるか又は異なる。
【００５４】
選択的に、当該複数の周波数ポイントの異なる周波数ポイントで当該同期信号を送信することに使用されるシーケンスは、同じであるか又は異なる。
【００５５】
具体的には、同じ５Ｇ搬送波／セルの異なる周波数領域のリソース上の同期信号が使用されるデータシーケンスは相違してもよい。使用するデータシーケンスが異なる場合、同じ５Ｇ搬送波／セルの異なる周波数領域のリソース上の同期信号が使用されるデータシーケンスは、何かしらの内在的関連が有してもよく、例えば、同じルートシーケンス（ｒｏｏｔ  ｓｅｑｕｅｎｃｅ）における異なるサイクリックシフト（ｃｙｃｌｉｃ  ｓｈｉｆｔ）を使用してもよく、当該サイクリックシフトはある特定のオフセット（ｏｆｆｓｅｔ）を使用して同じ搬送波／セルに属することを示すことができる。
【００５６】
選択的に、本発明の一実施例において、当該ダウンリンク信号は、ブロードキャスト信号を含み、
この場合、ネットワーク設備は、当該複数の周波数ポイントで周期的に当該ブロードキャスト信号を送信することができる。
【００５７】
具体的には、端末設備がブロードキャスト信号が迅速にサーチできるように、本発明の実施例において、ネットワーク設備は、搬送波の複数の周波数ポイントで周期的にブロードキャスト信号を送信し、即ち、複数の周波数ポイントでブロードキャスト信号を繰り返して送信する。例えば、ブロードキャスト信号の時間周波数リソースの位置は、図４に示される通りであってもよい。
【００５８】
例えば、一つの５Ｇ搬送波／セルがセル内の異なる周波数リソースに、時間的周期で繰り返す複数のグループの基本的なシステム情報（ｂａｓｉｃ  ｓｙｓｔｅｍ  ｉｎｆｏｒｍａｔｉｏｎ）を設定することができ、マスター情報ブロック（ＭＩＢ：Ｍａｓｔｅｒ  Ｉｎｆｏｒｍａｔｉｏｎ  Ｂｌｏｃｋ）と称しても良く、物理ブロードキャストチャネル（Ｐｈｙｓｉｃａｌ  Ｂｒｏａｄｃａｓｔ  Ｃｈａｎｎｅｌ：ＰＢＣＨと略称）を使用して搬送し、ここでダウンリンク／アップリンク帯域幅、システムフレーム番号（Ｓｙｓｔｅｍ  Ｆｒａｍｅ  Ｎｕｍｂｅｒ：ＳＦＮと略称）、アンテナの数、制御信号の伝送モードをを含で、端末設備の迅速な受信と復調を行うようにする。
【００５９】
選択的に、ＰＢＣＨ及びＳＳは対応関係を有することができ、例えば、同期信号が設定された周波数領域リソース（周波数ポイント）毎に一つのＰＢＣＨが存在することができ、図４に示される通りである。
【００６０】
選択的に、本発明の一実施例において、当該ダウンリンク信号は、共通制御チャネル信号又は共通参照信号を含み、当該共通制御チャネル信号又は共通参照信号の時間周波数リソースの位置は、ダウンリンク制御領域内に位置し、当該ダウンリンク制御領域は、無線フレーム内の当該複数の周波数ポイントに位置し、当該ダウンリンク制御領域の当該無線フレーム内での時間領域の長さは、当該無線フレームの長さより小さい。
【００６１】
具体的には、本発明の実施例において、ダウンリンク制御領域は、限られた周波数と時間リソースを占有して、即ち、周波数上で、その搬送波の全ダウンリンク帯域幅より小さく、時間上で無線フレームの長さより小さく、最短なのは一つのシンボルであってもよい。例えば、ダウンリンク制御領域の位置は、図５に示される通りであってもよい。
【００６２】
ダウンリンク制御領域は、ダウンリンク共通の制御領域と称されてもよく、共通制御チャネル及び／又は共通参照信号を伝送するために用いられる。共通制御チャネルは、専用制御チャネルの位置を指示することができ、専用制御チャネルは、あるユーザーデータを復調するために用いられる。共通参照シンボルは、待機（ＩＤＬＥ）状態でのセルの測定再選択、及び接続（ＣＯＮＮＥＣＴＥＤ）状態のでのセルの測定ハンドオーバーに用いられる。
【００６３】
本発明の実施例の技術的解決手段を使用する場合、端末設備が待機状態又は接続状態での測定を行う速度と精度を向上させることができる。
【００６４】
選択的に、当該信号伝送方法は、
端末設備に当該ダウンリンク制御領域の情報を明示的又は黙示的に指示することをさらに含むことができる。
【００６５】
つまり、ダウンリンク制御領域の情報は明示的又は黙示的に指示することができる。
【００６６】
具体的には、ネットワーク設備は、当該複数の周波数ポイント中のそれぞれの周波数ポイントの開始位置と終了位置の情報と、
当該ダウンリンク制御領域が位置する当該無線フレームと当該無線フレーム中のサブフレームとの情報と、
当該ダウンリンク制御領域が、当該同期信号を送信する周波数ポイントに位置するかどうかを指示するための、当該同期信号に使用されたシーケンスの情報と、
当該同期信号と当該ブロードキャスト信号の当該ダウンリンク制御領域が、当該同期信号と当該ブロードキャスト信号を送信する周波数ポイントに位置するかどうかを指示するための相対的な時間周波数位置の情報と、
当該ブロードキャスト信号の内容と、
当該ブロードキャスト信号が指示する基本的なシステム情報の内容とのうちの少なくとも一つを通じて、当該端末設備に当該ダウンリンク制御領域の情報を明示的又は黙示的に指示することができる。
【００６７】
例えば、一つの５Ｇ搬送波／セル内のある周波数リソースの共通制御チャネルの存在の有無を判断する場合、存在すれば、その位置と占めるリソースのサイズは、
５Ｇ搬送波／セル内の異なる周波数リソースの開始位置と終了位置、
５Ｇ搬送波／セル内の異なる周波数リソースの無線フレームと無線サブフレームとの時間の割り当て、
（当該周波数リソースにおける）同期信号に使用されたシーケンス（例えば、シーケンスの長さ、全体のシーケンスにおけるルートシーケンスの番号、サイクリックシフトのオフセットなど）、
同期信号と物理ブロードキャストチャネル（ＰＢＣＨ）の相対的な時間周波数位置、
ＰＢＣＨの内容及び／又はチェックビットに付加されるマスク（ｍａｓｋ）を含む物理ブロードキャストチャネル（ＰＢＣＨ）の内容、及び
第１のレベルのシステム情報（物理ブロードキャストチャネルＰＢＣＨによって搬送される）により指示される第２のレベル又はより低いレベルのシステム情報の内容、
のうちの一つの方式又は異なる方式（全ての方式ではない）によって指示されることができる。
【００６８】
選択的に、本発明の一実施例において、当該ダウンリンク信号は、測定参照信号を含み、
この場合、ネットワーク設備は、当該複数の周波数ポイントの非ダウンリンク制御領域内で周期的に当該測定参照信号を送信することを含む。
【００６９】
例えば、一つの５Ｇ搬送波／セルが、セル内の非ダウンリンク制御領域内において、異なる周波数で待機（ＩＤＬＥ）状態でのセルの測定再選択と接続（ＣＯＮＮＥＣＴＥＤ）状態でのセルの測定ハンドオーバーのための参照信号を周期的に送信することができ、このような参照信号の密度は、一般的には、復調のための参照信号よりも低く、測定参照信号（ｍｅａｓｕｒｅｍｅｎｔ  ｒｅｆｅｒｅｎｃｅ  ｓｉｇｎａｌ：ＭＲＳと略称）と称されてもよい。例えば、測定参照信号の時間周波数リソースの位置は、図６に示される通りであってもよい。これにより、端末設備が待機又は接続状態での測定を行う速度と精度をより向上させることができる。
【００７０】
選択的に、当該測定参照信号の時間周波数リソースの位置とダウンリンクデータの時間周波数リソースの位置が衝突する場合、ホールパンチの方式を使用して、当該測定参照信号又は当該ダウンリンクデータを送信する。例えば図７に示される通りである。
【００７１】
理解すべきこととして、図４乃至図７に、複数のダウンリンク信号の時間周波数リソースの位置を示しているが、本発明は、異なるダウンリンク信号の時間周波数リソースの位置を限定せず、即ち、異なるダウンリンク信号の時間周波数リソース位置との間には、関連があってもよく、関連がなくてもよい。
【００７２】
理解すべきこととして、本発明の実施例中の具体的な例は、当業者が、本発明の実施例をよりよく理解するようにするためのものであり、本発明の実施例の範囲を限定するためのものではない。
【００７３】
本発明の実施例における信号伝送方法は、端末設備がセルサーチ、待機又は接続状態での測定を行う速度と精度を向上させることができるので、端末設備の通信効率を向上させることができる。
【００７４】
以上で、ネットワーク設備側で、本発明の実施例における信号伝送方法を説明し、以下の端末設備側で、本発明の実施例における信号伝送方法を説明する。
【００７５】
図８は、本発明の実施例による信号伝送方法８００の概略的なフローチャートである。当該信号伝送方法８００は、端末設備によって実行され、例えば、図１の中のＵＥ  １０〜ＵＥ  １７のうちのいずれか一つによって実行される。図８に示されたように、当該信号伝送方法８００は、
同期信号、ブロードキャスト信号、共通制御チャネル信号、共通参照信号、測定参照信号のうちの少なくとも一つを含むダウンリンク信号の時間周波数リソースの位置を確定し、当該ダウンリンク信号の時間周波数リソースの位置は、当該時間内の搬送波の複数の周波数ポイントに位置し、当該複数の周波数ポイントは、当該搬送波の帯域幅内の部分的な周波数ポイントであるＳ８１０と、
当該ダウンリンク信号の時間周波数リソースの位置に基づいて、当該ダウンリンク信号を送信するＳ８２０とを含む。
【００７６】
本発明の実施例における信号伝送方法は、所定の時間内の搬送波の複数の周波数ポイントでダウンリンク信号を受信し、端末設備の高速サーチ要求を満足させることができるので、端末設備の通信効率を向上させることができる。
【００７７】
選択的に、本発明の一実施例において、当該ダウンリンク信号は、同期信号を含み、
当該ダウンリンク信号の時間周波数リソースの位置に基づいて、ネットワーク設備が送信した当該ダウンリンク信号を受信することは、
当該複数の周波数ポイントで、当該ネットワーク設備が周期的に送信した当該同期信号を受信することを含む。
【００７８】
選択的に、当該複数の周波数ポイントの異なる周波数ポイントで当該同期信号を送信する周期は、同じであるか又は異なる。
【００７９】
選択的に、当該複数の周波数ポイントの異なる周波数ポイントで当該同期信号を送信することに使用されるシーケンスは、同じであるか又は異なる。
【００８０】
選択的に、本発明の一実施例において、当該ダウンリンク信号は、ブロードキャスト信号を含み、
当該ダウンリンク信号の時間周波数リソースの位置に基づいて、当該ネットワーク設備が送信したダウンリンク信号を受信することは、
当該複数の周波数ポイントで、当該ネットワーク設備が周期的に送信した当該ブロードキャスト信号を受信することを含む。
【００８１】
選択的に、本発明の一実施例において、当該ダウンリンク信号は、共通制御チャネル信号又は共通参照信号を含み、当該共通制御チャネル信号又は共通参照信号の時間周波数リソースの位置は、ダウンリンク制御領域内に位置し、当該ダウンリンク制御領域は、無線フレーム内の当該複数の周波数ポイントに位置し、当該ダウンリンク制御領域の当該無線フレーム内での時間領域の長さは、当該無線フレームの長さより小さい。
【００８２】
選択的に、当該信号伝送方法８００は、
当該ネットワーク設備が明示的又は黙示的に指示する当該ダウンリンク制御領域の情報を取得することをさらに含むことができ、
ダウンリンク信号の時間周波数リソースの位置を確定することは、
当該ダウンリンク制御領域の情報に基づいて、当該ダウンリンク制御領域を確定することを含む。
【００８３】
選択的に、当該ダウンリンク制御領域の情報に基づいて、当該ダウンリンク制御領域を確定することは、
当該複数の周波数ポイント中のそれぞれの周波数ポイントの開始位置と終了位置の情報と、
当該ダウンリンク制御領域が位置する当該無線フレーム及び当該無線フレームのサブフレームとの情報と、
当該ダウンリンク制御領域が、当該同期信号を送信する周波数ポイントに位置するかどうかを指示するための、当該同期信号に使用されたシーケンスの情報と、
当該ダウンリンク制御領域が、当該同期信号及び当該ブロードキャスト信号を送信する周波数ポイントに位置するかどうかを指示するための、当該同期信号と当該ブロードキャスト信号の相対的な時間周波数位置の情報と、
当該ブロードキャスト信号の内容と、
当該ブロードキャスト信号が指示する基本的なシステム情報の内容とのうちの少なくとも一つを通じて、当該ダウンリンク制御領域を確定することを含む。
【００８４】
選択的に、本発明の一実施例において、当該ダウンリンク信号は、測定参照信号を含み、
当該ダウンリンク信号の時間周波数リソースの位置に基づいて、当該ネットワーク設備が送信した当該ダウンリンク信号を受信することは、
当該複数の周波数ポイントの非ダウンリンク制御領域内で、当該ネットワーク設備が周期的に送信した当該測定参照信号を受信することを含む。
【００８５】
本発明の実施例において、ネットワーク設備側で説明したネットワーク設備と端末設備との間のインタラクションと関連特性、機能等は、端末設備側の説明と対応することに、説明の便宜上、ここでもう説明しないことにすることは、理解するべきである。
【００８６】
本発明の実施例における信号伝送方法は、端末設備がセルサーチ、待機又は接続状態での測定を行う速度と精度を向上させることができるので、端末設備の通信効率を向上させることができる。
【００８７】
理解すべきこととして、本発明の各実施例において、当該各プロセスの順番の大きさは、その実行順序の前後を意味するものではなく、各プロセスの実行順序は、その機能と内在的論理に基づいて確定されるべきであり、本発明の実施例の実施過程に対するいかなる限定でもない。
【００８８】
以上で、本発明の実施例による信号伝送方法を詳細に説明し、以下、本発明の実施例によるネットワーク設備と端末設備を説明する。理解すべきこととして、本発明の実施例におけるネットワーク設備と端末設備は、前述した本発明の実施形態の様々な方法を実行することができ、以下の各設備の具体的な動作過程は、前述した方法の実施例中の対応プロセスを参照することができる。
【００８９】
図９は、本発明の実施例によるネットワーク設備９００の概略的なブロック図である。図９に示されたように、当該ネットワーク設備９００は、
同期信号、ブロードキャスト信号、共通制御チャネル信号、共通参照信号、測定参照信号のうちの少なくとも一つを含むダウンリンク信号の時間周波数リソースの位置を確定し、当該ダウンリンク信号の時間周波数リソースの位置は、所定の時間内の搬送波の複数の周波数ポイントに位置し、当該複数の周波数ポイントは、当該搬送波の帯域幅内の部分的な周波数ポイントであるように構成される確定モジュール９１０と、
当該ダウンリンク信号の時間周波数リソースの位置に基づいて、当該ダウンリンク信号を送信するように構成される送信モジュール９２０とを含む。
【００９０】
本発明の実施例におけるネットワーク設備は、所定の時間内の搬送波の複数の周波数ポイントでダウンリンク信号を送信して、端末設備の高速サーチ要求を満足させることができるので、端末設備の通信効率を向上させることができる。
【００９１】
選択的に、本発明の一実施例において、当該ダウンリンク信号は、同期信号を含み、
当該送信モジュール９２０は、具体的に、当該複数の周波数ポイントで周期的に当該同期信号を送信するように構成される。
【００９２】
選択的に、当該複数の周波数ポイントの異なる周波数ポイントで当該同期信号を送信する周期は、同じであるか又は異なる。
【００９３】
選択的に、当該複数の周波数ポイントの異なる周波数ポイントで当該同期信号を送信することに使用されるシーケンスは、同じであるか又は異なる。
【００９４】
選択的に、本発明の一実施例において、当該ダウンリンク信号は、ブロードキャスト信号を含み、
当該送信モジュール９２０は、具体的に、当該複数の周波数ポイントで周期的に当該ブロードキャスト信号を送信するように構成される。
【００９５】
選択的に、本発明の一実施例において、当該ダウンリンク信号は、共通制御チャネル信号又は共通参照信号を含み、当該共通制御チャネル信号又は共通参照信号の時間周波数リソースの位置は、ダウンリンク制御領域内に位置し、当該ダウンリンク制御領域は、無線フレーム内の当該複数の周波数ポイントに位置し、当該ダウンリンク制御領域の当該無線フレーム内での時間領域の長さは、当該無線フレームの長さより小さい。
【００９６】
選択的に、本発明の一実施例において、当該送信モジュール９２０は、端末設備に当該ダウンリンク制御領域の情報を明示的又は黙示的に指示するようにさらに構成される。
【００９７】
選択的に、当該送信モジュール９２０は、具体的に、
当該複数の周波数ポイント中のそれぞれの周波数ポイントの開始位置と終了位置の情報と、
当該ダウンリンク制御領域が位置する当該無線フレームと当該無線フレームのサブフレームとの情報と、
当該ダウンリンク制御領域が、当該同期信号を送信する周波数ポイントに位置するかどうかを指示するための、当該同期信号に使用されたシーケンスの情報と、
当該ダウンリンク制御領域が、当該同期信号と当該ブロードキャスト信号を送信する周波数ポイントに位置するかどうかを指示するための、当該同期信号と当該ブロードキャスト信号の相対的な時間周波数位置の情報と、
当該ブロードキャスト信号の内容と、
当該ブロードキャスト信号が指示する基本的なシステム情報の内容とのうちの少なくとも一つを通じて、当該端末設備に当該ダウンリンク制御領域の情報を明示的又は黙示的に指示するように構成される。
【００９８】
選択的に、本発明の一実施例において、当該ダウンリンク信号は、測定参照信号を含み、
当該送信モジュール９２０は、具体的に、当該複数の周波数ポイントの非ダウンリンク制御領域内で周期的に当該測定参照信号を送信するように構成される。
【００９９】
選択的に、当該送信モジュール９２０は、当該測定参照信号の時間周波数リソースの位置とダウンリンクデータの時間周波数リソースの位置が衝突する場合、ホールパンチの方式を使用して当該測定参照信号又は当該ダウンリンクデータを送信するようにさらに構成される。
【０１００】
本発明の実施例によるネットワーク設備９００は、本発明の実施例による信号伝送方法のネットワーク設備に対応することができ、ネットワーク設備９００中の各モジュールの上述と他の操作及び／又は機能は、それぞれの前述したそれぞれの方法の相当なプロセスを実現するためのもので、説明の便宜上、ここではこれ以上説明しないことにする。
【０１０１】
本発明の実施形態のネットワーク設備は、端末設備がセルサーチ、待機又は接続状態での測定を行う速度と精度を向上させることができるので、端末設備の通信効率を向上させることができる。
【０１０２】
図１０は、本発明の実施形態による端末設備１０００の概略的なブロック図である。図１０に示されたように、当該端末設備１０００は、
同期信号、ブロードキャスト信号、共通制御チャネル信号、共通参照信号、測定参照信号のうちの少なくとも一つを含むダウンリンク信号の時間周波数リソースの位置を確定し、当該ダウンリンク信号の時間周波数リソースの位置は、所定の時間内の搬送波の複数の周波数ポイントに位置し、当該複数の周波数ポイントは、当該搬送波の帯域幅内の部分的な周波数ポイントであるように構成される確定モジュール１０１０と、
当該ダウンリンク信号の時間周波数リソースの位置に基づいて、ネットワーク設備が送信した当該ダウンリンク信号を受信するように構成される受信モジュール１０２０を含む。
【０１０３】
本発明の実施例における端末設備は、所定の時間内の搬送波の複数の周波数ポイントでダウンリンク信号を送信して、端末設備の高速サーチ要求を満足させることができるので、端末設備の通信効率を向上させることができる。
【０１０４】
選択的に、本発明の一実施例において、当該ダウンリンク信号は、同期信号を含み、
当該受信モジュール１０２０は、具体的に、当該複数の周波数ポイントで、当該ネットワーク設備が周期的に送信した当該同期信号を受信するように構成される。
【０１０５】
選択的に、当該複数の周波数ポイント中の異なる周波数ポイントで当該同期信号を送信する周期は、同じであるか又は異なる。
【０１０６】
選択的に、当該複数の周波数ポイントの異なる周波数ポイントで当該同期信号を送信することに使用されるシーケンスは、同じであるか又は異なる。
【０１０７】
選択的に、本発明の一実施例において、当該ダウンリンク信号は、ブロードキャスト信号を含み、
当該受信モジュール１０２０は、具体的に、当該複数の周波数ポイントで、当該ネットワーク設備が周期的に送信した当該ブロードキャスト信号を受信するように構成される。
【０１０８】
選択的に、本発明の一実施例において、当該ダウンリンク信号は、共通制御チャネル信号又は共通参照信号を含み、当該共通制御チャネル信号又は共通参照信号の時間周波数リソースの位置は、ダウンリンク制御領域内に位置し、当該ダウンリンク制御領域は、無線フレーム内の当該複数の周波数ポイントに位置し、当該ダウンリンク制御領域の当該無線フレーム内での時間領域の長さは、当該無線フレームの長さより小さい。
【０１０９】
選択的に、本発明の一実施例において、当該受信モジュール１０２０は、当該ネットワーク設備が明示的又は黙示的に指示する当該ダウンリンク制御領域の情報を取得しようにさらに構成され、
当該確定モジュール１０１０は、具体的に、当該ダウンリンク制御領域の情報に基づいて、当該ダウンリンク制御領域を確定するように構成される。
【０１１０】
選択的に、当該確定モジュール１０１０は、具体的に、
当該複数の周波数ポイント中のそれぞれの周波数ポイントの開始位置と終了位置の情報と、
当該ダウンリンク制御領域が位置する当該無線フレームと当該無線フレームの中のサブフレームの情報と、
当該ダウンリンク制御領域が、当該同期信号を送信する周波数ポイントに位置するかどうかを指示するための、当該同期信号に使用されたシーケンスの情報と、
当該ダウンリンク制御領域が当該同期信号と当該ブロードキャスト信号を送信する周波数ポイントに位置するかどうかを指示するための、当該同期信号と当該ブロードキャスト信号の相対的な時間周波数位置の情報と、
当該ブロードキャスト信号の内容と、
当該ブロードキャスト信号が指示する基本的なシステム情報の内容とのうちの少なくとも一つを通じて、当該ダウンリンク制御領域を確定するように構成される。
【０１１１】
選択的に、本発明の一実施例において、当該ダウンリンク信号は、測定参照信号を含み、
当該受信モジュール１０２０は、具体的に、当該複数の周波数ポイントの非ダウンリンク制御領域内で、当該ネットワーク設備が周期的に送信した当該測定参照信号を受信するように構成される。
【０１１２】
本発明の実施例による端末設備１０００は、本発明の実施例による信号伝送方法の端末設備に対応することができ、端末設備１０００中の各モジュールの上述と他の操作及び／又は機能は、それぞれの前述したそれぞれの方法の相当なプロセスを実現するためのもので、説明の便宜上、ここではこれ以上説明しないことにする。
【０１１３】
本発明の実施例におけるネットワーク設備は、端末設備がセルサーチ、待機又は接続状態での測定を行う速度と精度を向上させることができるので、端末設備の通信効率を向上させることができる。
【０１１４】
図１１は、本発明のさらなる他の実施例が提供するネットワーク設備の構造であり、少なくとも一つのプロセッサ１１０２（例えば、ＣＰＵ）は、少なくとも一つのネットワークインタフェース１１０５又は他の通信インタフェース、メモリ１１０６及び少なくとも一つの通信バス１１０３を含み、これらの装置の間の接続通信を実現するように構成される。プロセッサ１１０２は、メモリ１１０６に記憶された実行可能なモジュール、例えば、コンピュータプログラムを実行するように構成される。メモリ１１０６は、高速ランダムアクセスメモリ（ＲＡＭ：Ｒａｎｄｏｍ  Ａｃｃｅｓｓ  Ｍｅｍｏｒｙ）を含むことができ、非揮発性メモリ（ｎｏｎ−ｖｏｌａｔｉｌｅ  ｍｅｍｏｒｙ）を含むこともでき、例えば、少なくとも一つのハードディスクメモリである。少なくとも一つのネットワークインタフェース１１０５（有線又は無線であってもよい）を通じて、少なくとも一つの他のネットワークエレメントとの間の通信リンクを実現する。
【０１１５】
一部の実施形態においては、メモリ１１０６には、プログラム１１０６１が記憶され、プロセッサ１１０２は、プログラム１１０６１を実行して、
同期信号、ブロードキャスト信号、共通制御チャネル信号、共通参照信号、測定参照信号のうちの少なくとも一つを含むダウンリンク信号の時間周波数リソースの位置を確定し、当該ダウンリンク信号の時間周波数リソースの位置は、当該時間内の搬送波の複数の周波数ポイントに位置し、当該複数の周波数ポイントは、当該搬送波の帯域幅内の部分的な周波数ポイントであり、
当該ダウンリンク信号の時間周波数リソースの位置に基づいて、当該ダウンリンク信号を送信する動作を実行するように構成される。
【０１１６】
選択的に、当該ダウンリンク信号は、同期信号を含み、
プロセッサ１１０２は、具体的に、当該複数の周波数ポイントで周期的に当該同期信号を送信するように構成される。
【０１１７】
選択的に、当該複数の周波数ポイントの異なる周波数ポイントで当該同期信号を送信する周期は、同じであるか又は異なる。
【０１１８】
選択的に、当該複数の周波数ポイントの異なる周波数ポイントで当該同期信号を送信することに使用されるシーケンスは、同じであるか又は異なる。
【０１１９】
選択的に、当該ダウンリンク信号は、ブロードキャスト信号を含み、
プロセッサ１１０２は、具体的に、当該複数の周波数ポイントで周期的に当該ブロードキャスト信号を送信するように構成される。
【０１２０】
選択的に、当該ダウンリンク信号は、共通制御チャネル信号又は共通参照信号を含み、当該共通制御チャネル信号又は共通参照信号の時間周波数リソースの位置は、ダウンリンク制御領域内に位置し、当該ダウンリンク制御領域は、無線フレーム内の当該複数の周波数ポイントに位置し、当該ダウンリンク制御領域の当該無線フレーム内での時間領域の長さは、当該無線フレームの長さより小さい。
【０１２１】
選択的に、プロセッサ１１０２は、端末設備に当該ダウンリンク制御領域の情報を明示的又は黙示的に指示するようにさらに構成される。
【０１２２】
選択的に、プロセッサ１１０２は、具体的に、
当該複数の周波数ポイント中のそれぞれの周波数ポイントの開始位置と終了位置の情報と、
当該ダウンリンク制御領域が位置する当該無線フレームと当該無線フレーム中のサブフレームの情報と、
当該ダウンリンク制御領域が、当該同期信号を送信する周波数ポイントに位置するかどうかを指示するための、当該同期信号に使用されたシーケンスの情報と、
当該ダウンリンク制御領域が当該同期信号と当該ブロードキャスト信号を送信する周波数ポイントに位置するかどうかを指示するための、当該同期信号と当該ブロードキャスト信号の相対的な時間周波数位置の情報と、
当該ブロードキャスト信号の内容と、
当該ブロードキャスト信号が指示する基本的なシステム情報の内容とのうちの少なくとも一つを通じて、当該端末設備に当該ダウンリンク制御領域の情報を明示的又は黙示的に指示するように構成される。
【０１２３】
選択的に、当該ダウンリンク信号は、測定参照信号を含み、
プロセッサ１１０２は、具体的に、当該複数の周波数ポイントの非ダウンリンク制御領域内で周期的に当該測定参照信号を送信するように構成される。
【０１２４】
選択的に、プロセッサ１１０２は、当該測定参照信号の時間周波数リソースの位置とダウンリンクデータの時間周波数リソースの位置が衝突する場合、ホールパンチの方式を使用して当該測定参照信号又は当該ダウンリンクデータを送信するようにさらに構成される。
【０１２５】
本発明の実施例が提供した以上の技術的解決手段から見ると、本発明の実施例は、所定の時間内の搬送波の複数の周波数ポイントでダウンリンク信号を送信して、端末設備の高速サーチ要求を満足させることができるので、端末設備の通信効率を向上させることができる。
【０１２６】
図１２は、本発明の他の実施例が提供するＭＭＥの構造であり、少なくとも一つのプロセッサ１２０２（例えばＣＰＵ）は、少なくとも一つのネットワークインタフェース１２０５又は他の通信インタフェース、メモリ１２０６及び少なくとも一つの通信バス１２０３を含み、これらの装置の間の接続通信を実現するように構成される。プロセッサ１２０２は、メモリ１２０６に記憶された実行可能モジュール、例えば、コンピュータプログラムを実行するように構成される。メモリ１２０６は、高速ランダムアクセスメモリ（ＲＡＭ：Ｒａｎｄｏｍ  Ａｃｃｅｓｓ  Ｍｅｍｏｒｙ）を含むことができ、非揮発性メモリ（ｎｏｎ−ｖｏｌａｔｉｌｅ  ｍｅｍｏｒｙ）をさらに含むこともでき、例えば、少なくとも一つのハードディスクメモリである。少なくとも一つのネットワークインタフェース１２０５（有線又は無線であってもよい）を通じて、少なくとも一つの他のネットワークエレメントとの間の通信リンクを実現する。
【０１２７】
一部実施形態において、メモリ１２０６には、プログラム１２０６１が記憶され、プロセッサ１２０２は、プログラム１２０６１を実行して、
同期信号、ブロードキャスト信号、共通制御チャネル信号、共通参照信号、測定参照信号のうちの少なくとも一つを含むダウンリンク信号の時間周波数リソースの位置を確定し、当該ダウンリンク信号の時間周波数リソースの位置は、当該時間内の搬送波の複数の周波数ポイントに位置し、当該複数の周波数ポイントは、当該搬送波の帯域幅内の部分的な周波数ポイントであり、
当該ダウンリンク信号の時間周波数リソースの位置に基づいて、当該ダウンリンク信号を送信する動作を実行するように構成される。
【０１２８】
選択的に、当該ダウンリンク信号は、同期信号を含み、
プロセッサ１２０２は、具体的に、当該複数の周波数ポイントで、当該ネットワーク設備が周期的に送信した当該同期信号を受信するように構成される。
【０１２９】
選択的に、当該複数の周波数ポイント中の異なる周波数ポイントで当該同期信号を送信する周期は、同じであるか又は異なる。
【０１３０】
選択的に、当該複数の周波数ポイントの異なる周波数ポイントで当該同期信号を送信することに使用されるシーケンスは、同じであるか又は異なる。
【０１３１】
選択的に、当該ダウンリンク信号は、ブロードキャスト信号を含み、
プロセッサ１２０２は、具体的に、当該複数の周波数ポイントで、当該ネットワーク設備が周期的に送信した当該ブロードキャスト信号を受信するように構成される。
【０１３２】
選択的に、当該ダウンリンク信号は、共通制御チャネル信号又は共通参照信号を含み、当該共通制御チャネル信号又は共通参照信号の時間周波数リソースの位置は、ダウンリンク制御領域内に位置し、当該ダウンリンク制御領域は、無線フレーム内の当該複数の周波数ポイントに位置し、当該ダウンリンク制御領域の当該無線フレーム内での時間領域の長さは、当該無線フレームの長さより小さい。
【０１３３】
選択的に、プロセッサ１２０２は、当該ネットワーク設備が明示的又は黙示的に指示する当該ダウンリンク制御領域の情報を取得し、
当該ダウンリンク制御領域の情報に基づいて、当該ダウンリンク制御領域を確定するように構成される。
【０１３４】
選択的に、プロセッサ１２０２は、具体的に、当該複数の周波数ポイント中のそれぞれの周波数ポイントの開始位置と終了位置の情報と、
当該ダウンリンク制御領域が位置する当該無線フレームと当該無線フレーム中のサブフレームの情報と、
当該ダウンリンク制御領域が、当該同期信号を送信する周波数ポイントに位置するかどうかを指示するための当該同期信号に使用されたシーケンスの情報と、
当該ダウンリンク制御領域が当該同期信号と当該ブロードキャスト信号を送信する周波数ポイントに位置するかどうかを指示するための、当該同期信号と当該ブロードキャスト信号の相対的な時間周波数位置の情報と、
当該ブロードキャスト信号の内容と、
当該ブロードキャスト信号が指示する基本的なシステム情報の内容とのうちの少なくとも一つを通じて、当該ダウンリンク制御領域を確定するように構成される。
【０１３５】
選択的に、当該ダウンリンク信号は、測定参照信号を含み、
プロセッサ１２０２は、具体的に、当該複数の周波数ポイントの非ダウンリンク制御領域内で、当該ネットワーク設備が周期的に送信した当該測定参照信号を受信するように構成される。
【０１３６】
本発明の実施例が提供する以上の技術的解決手段から見ると、本発明の実施例は、所定の時間内の搬送波の複数の周波数ポイントでダウンリンク信号を送信して、端末設備の高速サーチ要求を満足させることができるので、端末設備の通信効率を向上させることができる。
【０１３７】
理解すべきこととして、本発明の実施例において、用語「及び／又は」は、関連対象の関連関係を説明するためのものであって、３つの関係が存在することができることを意味する。例えば、Ａ及び／又はＢは、Ａが単独に存在する、ＡとＢが同時に存在する、Ｂが単独に存在する３つの場合を意味する。当該ほかに、本文で符号「／」は、一般的に前後の関連対象が「又は」の関係であることを意味する。
【０１３８】
当業者であれば、本文で開示された実施例に関連して記述された各例示のユニット及アルゴリズムステップ、電子ハードウェア、コンピュータソフトウェア、又は両者の組み合わせを介して実現され、ハードウェアとソフトウェアとの互換性を明確に説明するために、各例示の構成及びステップは、当該説明においてもう機能に従って一般的に説明されているあることを理解するだろう。これらの機能は、ハードウェア方式で実行されるかまたはソフトウェア方式で実行されるかは、技術的解決手段の特定応用と設計上の制約条件によって異なる。専門技術員は、各特定的な応用に対して異なる方法によって当該した機能を実現することができるが、このような実現は本発明の範囲を超えてはならない。
【０１３９】
当業者であれば、説明の便宜および簡潔さのために、当該で記述したシステム、装置及びユニットの具体的な作動過程は、前述方法の実施例中の対応する過程を参照することができ、ここで再び説明されないことを明確に理解することができる。
【０１４０】
本出願が提供するいくつかの実施例において、開示されたシステム、装置及び方法は、他の方式で実現され得ることを理解されたい。例えば、当該で記述した装置の実施例は、単なる例示的であり、例えば、当該ユニットの区分は、単なる論理機能の区分であり、実際に実現する際には、他の区分方法を有することができ、例えば、複数のユニットまたはコンポーネントは、もう一つのシステムに組み合わせたり、または集積したり、またはある特徴を無視したり、または実行しなくてもよい。また、明示され、または議論される相互の間のカップリングまたは直接のカップリングまたは通信接続は、あるインタフェース、装置またはユニットを介した間接的なカップリングまたは通信接続であってもよく、電気的、機械的または他の形態であってもよい。
【０１４１】
当該分離の構成要素として記述したユニットは、物理的に分離されてもよくされなくてもよく、ユニットとして示される構成要素は、物理ユニットであってもなくてもよく、即ち、一つの箇所に位置するか、または複数のネットワークユニット上に分布されてもよく。実際の必要に応じて、その中の一部または全部のユニットを選択して本発明実施例の解決策の目的を実現することができる。
【０１４２】
なお、本発明の各実施例中の各機能のユニットは、単一の処理ユニットに集積されてもよい、各ユニットが単独に物理的に存在してもよい、二つ又は二つ以上のユニットが一つのユニットに集積されてもよい。当該集積されたユニットは、ハードウェアの形式で実現されることができ、ソフトウェアの形式で実現されることもできる。
【０１４３】
当該集積されたユニットが、ソフトウェア機能ユニットの形式で実現され、独立的な製品として販売または使用する場合、一つのコンピュータ可読記憶媒体に記憶されてもよい。このような理解に基づいて、本発明の技術的解決手段本質上、または先行技術に対して貢献のある部分またはその技術的解決手段の全部又は一部分は、ソフトウェア製品の形態で実現されることができ、当該コンピュータソフトウェア製品は、一つの記憶媒体に記憶され、一台のコンピュータ設備（パーソナルコンピュータ、サーバー、又はネットワーク設備などであってもよい）が、本発明の各実施例における当該方法の全部又は一部のステップを実行するように、若干の命令を含である。前述記憶媒体には、プログラムコードを記憶可能なＵディスク、ポータブルハードディスク、読み取り専用メモリ（Ｒｅａｄ−Ｏｎｌｙ  Ｍｅｍｏｒｙ：ＲＯＭと略称）、ランダム・アクセス・メモリ（Ｒａｎｄｏｍ  Ａｃｃｅｓｓ  Ｍｅｍｏｒｙ：ＲＡＭと略称）、磁気ディスクまたは光ディスクなどが含まれる。
【０１４４】
以上、本発明発明の具体的な実施形態についてのみ説明したが、本発明の保護範囲はこれに限定されるものではなく、当業者であれば、本発明が提示した技術的範囲内で容易に変更または交替を想到することができ、本発明の保護範囲内に含まれるべきである。したがって、本発明の保護範囲は、請求項範囲に準じるべきである。
【図１】
2019521539.tif 000003
【図２】
2019521539.tif 000004
【図３】
2019521539.tif 000005
【図４】
2019521539.tif 000006
【図５】
2019521539.tif 000007
【図６】
2019521539.tif 000008
【図７】
2019521539.tif 000009
【図８】
2019521539.tif 000010
【図９】
2019521539.tif 000011
【図１０】
2019521539.tif 000012
【図１１】
2019521539.tif 000013
【図１２】
2019521539.tif 000014
【手続補正書】
【提出日】平成30年11月14日(2018.11.14)
【手続補正１】
【補正対象書類名】特許請求の範囲
【補正対象項目名】全文
【補正方法】変更
【補正の内容】
【特許請求の範囲】
【請求項１】
信号伝送方法であって、
同期信号、ブロードキャスト信号、共通制御チャネル信号、共通参照信号、測定参照信号のうちの少なくとも一つを含むダウンリンク信号の時間周波数リソースの位置を確定し、前記ダウンリンク信号の時間周波数リソースの位置は、所定の時間内の搬送波の複数の周波数ポイントに位置し、前記複数の周波数ポイントは、前記搬送波の帯域幅内の部分的な周波数ポイントであることと、
前記ダウンリンク信号の時間周波数リソースの位置に基づいて、前記ダウンリンク信号を送信することとを含む信号伝送方法。
【請求項２】
前記ダウンリンク信号は、同期信号を含み、
前記ダウンリンク信号の時間周波数リソースの位置に基づいて、前記ダウンリンク信号を送信することは、
前記複数の周波数ポイントで周期的に前記同期信号を送信することを含むことを特徴とする
請求項１に記載の信号伝送方法。
【請求項３】
前記複数の周波数ポイント中の異なる周波数ポイントで前記同期信号を送信する周期は、同じであるか又は異なることを特徴とする
請求項２に記載の信号伝送方法。
【請求項４】
前記複数の周波数ポイント中の異なる周波数ポイントで前記同期信号を送信することに使用されるシーケンスは、同じであるか又は異なることを特徴とする
請求項２又は３に記載の信号伝送方法。
【請求項５】
前記ダウンリンク信号は、ブロードキャスト信号を含み、
前記ダウンリンク信号の時間周波数リソースの位置に基づいて、前記ダウンリンク信号を送信することは、
前記複数の周波数ポイントで周期的に前記ブロードキャスト信号を送信することを含むことを特徴とする
請求項１乃至４のいずれか１項に記載の信号伝送方法。
【請求項６】
前記ダウンリンク信号は、共通制御チャネル信号又は共通参照信号を含み、前記共通制御チャネル信号又は共通参照信号の時間周波数リソースの位置は、ダウンリンク制御領域内に位置し、前記ダウンリンク制御領域は、無線フレーム内の前記複数の周波数ポイントに位置し、前記ダウンリンク制御領域の前記無線フレーム内での時間領域の長さは、前記無線フレームの長さより小さく、
前記信号伝送方法は、
前記複数の周波数ポイント中のそれぞれの周波数ポイントの開始位置と終了位置の情報と、
前記ダウンリンク制御領域が位置する前記無線フレームと前記無線フレームのサブフレームとの情報と、
前記ダウンリンク制御領域が、前記同期信号を送信する周波数ポイントに位置するかどうかを指示するための、前記同期信号に使用されたシーケンスの情報と、
前記ダウンリンク制御領域が前記同期信号と前記ブロードキャスト信号とを送信する周波数ポイントに位置するかどうかを指示するための、前記同期信号と前記ブロードキャスト信号の相対的な時間周波数位置の情報と、
前記ブロードキャスト信号の内容と、
前記ブロードキャスト信号が指示する基本的なシステム情報の内容と、
のうちの少なくとも一つを通じて、端末設備に前記ダウンリンク制御領域の情報を明示的又は黙示的に指示することを含むことを特徴とする請求項１乃至５のいずれか１項に記載の信号伝送方法。
【請求項７】
前記ダウンリンク信号は、測定参照信号を含み、
前記ダウンリンク信号の時間周波数リソースの位置に基づいて、前記ダウンリンク信号を送信することは、
前記複数の周波数ポイントの非ダウンリンク制御領域内で周期的に前記測定参照信号を送信することを含み、
前記信号伝送方法は、
前記測定参照信号の時間周波数リソースの位置とダウンリンクデータの時間周波数リソースの位置が衝突する場合、ホールパンチの方式を使用して、前記測定参照信号又は前記ダウンリンクデータを送信することをさらに含むことを特徴とする
請求項１乃至６のいずれか１項に記載の信号伝送方法。
【請求項８】
信号伝送方法であって、
同期信号、ブロードキャスト信号、共通制御チャネル信号、共通参照信号、測定参照信号のうちの少なくとも一つを含むダウンリンク信号の時間周波数リソースの位置を確定し、前記ダウンリンク信号の時間周波数リソースの位置は、所定の時間内の搬送波の複数の周波数ポイントに位置し、前記複数の周波数ポイントは、前記搬送波の帯域幅内の部分的な周波数ポイントであることと、
前記ダウンリンク信号の時間周波数リソースの位置に基づいて、ネットワーク設備が送信した前記ダウンリンク信号を受信することとを含む信号伝送方法。
【請求項９】
前記ダウンリンク信号は、同期信号を含み、
前記ダウンリンク信号の時間周波数リソースの位置に基づいて、ネットワーク設備が送信した前記ダウンリンク信号を受信することは、
前記複数の周波数ポイントで、前記ネットワーク設備が周期的に送信した前記同期信号を受信することを含むことを特徴とする
請求項８に記載の信号伝送方法。
【請求項１０】
前記複数の周波数ポイント中の異なる周波数ポイントで前記同期信号を送信する周期は、同じであるか又は異なることを特徴とする
請求項９に記載の信号伝送方法。
【請求項１１】
前記複数の周波数ポイント中の異なる周波数ポイントで前記同期信号を送信することに使用されるシーケンスは、同じであるか又は異なることを特徴とする
請求項９又は１０に記載の信号伝送方法。
【請求項１２】
前記ダウンリンク信号は、ブロードキャスト信号を含み、
前記ダウンリンク信号の時間周波数リソースの位置に基づいて、前記ネットワーク設備が送信したダウンリンク信号を受信することは、
前記複数の周波数ポイントで、前記ネットワーク設備が周期的に送信した前記ブロードキャスト信号を受信することを含むことを特徴とする
請求項８乃至１１のいずれか１項に記載の信号伝送方法。
【請求項１３】
前記ダウンリンク信号は、共通制御チャネル信号又は共通参照信号を含み、前記共通制御チャネル信号又は共通参照信号の時間周波数リソースの位置は、ダウンリンク制御領域内に位置し、前記ダウンリンク制御領域は、無線フレーム内の前記複数の周波数ポイントに位置し、前記ダウンリンク制御領域の前記無線フレーム内での時間領域の長さは、前記無線フレームの長さより小さいことを特徴とする請求項８乃至１２のいずれか１項に記載の信号伝送方法。
【請求項１４】
前記信号伝送方法は、
前記ネットワーク設備が明示的又は黙示的に指示する前記ダウンリンク制御領域の情報を取得することをさらに含み、
前記ダウンリンク信号の時間周波数リソースの位置を確定することは、
前記ダウンリンク制御領域の情報に基づいて、前記ダウンリンク制御領域を確定することを含み、
前記ダウンリンク制御領域の情報に基づいて、前記ダウンリンク制御領域を確定することは、
前記複数の周波数ポイント中のそれぞれの周波数ポイントの開始位置と終了位置の情報と、
前記ダウンリンク制御領域が位置する前記無線フレームと前記無線フレームのサブフレームとの情報と、
前記ダウンリンク制御領域が、前記同期信号を送信する周波数ポイントに位置するかどうかを指示するための、前記同期信号に使用されたシーケンスの情報と、
前記ダウンリンク制御領域が前記同期信号と前記ブロードキャスト信号とを送信する周波数ポイントに位置するかどうかを指示するための、前記同期信号と前記ブロードキャスト信号の相対的な時間周波数位置の情報と、
前記ブロードキャスト信号の内容と、
前記ブロードキャスト信号が指示する基本的なシステム情報の内容と、
のうちの少なくとも一つを通じて前記ダウンリンク制御領域を確定することを含むことを特徴とする
請求項１３に記載の信号伝送方法。
【請求項１５】
前記ダウンリンク信号は、測定参照信号を含み、
前記ダウンリンク信号の時間周波数リソースの位置に基づいて、前記ネットワーク設備が送信した前記ダウンリンク信号を受信することは、
前記複数の周波数ポイントの非ダウンリンク制御領域内で、前記ネットワーク設備が周期的に送信した前記測定参照信号を受信することを含むことを特徴とする
請求項８乃至１４のいずれか１項に記載の信号伝送方法。
【手続補正書】
【提出日】令和1年5月10日(2019.5.10)
【手続補正１】
【補正対象書類名】特許請求の範囲
【補正対象項目名】全文
【補正方法】変更
【補正の内容】
【特許請求の範囲】
【請求項１】
信号伝送方法であって、
同期信号、ブロードキャスト信号、共通制御チャネル信号、共通参照信号、測定参照信号のうちの少なくとも一つを含むダウンリンク信号の時間周波数リソースの位置を確定し、前記ダウンリンク信号の時間周波数リソースの位置は、所定の時間内の搬送波の複数の周波数ポイントに位置し、前記複数の周波数ポイントは、前記搬送波の帯域幅内の部分的な周波数ポイントであることと、
前記ダウンリンク信号の時間周波数リソースの位置に基づいて、ネットワーク設備が送信した前記ダウンリンク信号を受信することとを含む信号伝送方法。
【請求項２】
前記ダウンリンク信号は、同期信号を含み、
前記ダウンリンク信号の時間周波数リソースの位置に基づいて、ネットワーク設備が送信した前記ダウンリンク信号を受信することは、
前記複数の周波数ポイントで、前記ネットワーク設備が周期的に送信した前記同期信号を受信することを含むことを特徴とする
請求項１に記載の信号伝送方法。
【請求項３】
前記複数の周波数ポイント中の異なる周波数ポイントで前記同期信号を送信する周期は、同じであるか又は異なることを特徴とする
請求項２に記載の信号伝送方法。
【請求項４】
前記複数の周波数ポイント中の異なる周波数ポイントで前記同期信号を送信することに使用されるシーケンスは、同じであるか又は異なることを特徴とする
請求項２又は３に記載の信号伝送方法。
【請求項５】
前記ダウンリンク信号は、ブロードキャスト信号を含み、
前記ダウンリンク信号の時間周波数リソースの位置に基づいて、前記ネットワーク設備が送信したダウンリンク信号を受信することは、
前記複数の周波数ポイントで、前記ネットワーク設備が周期的に送信した前記ブロードキャスト信号を受信することを含むことを特徴とする
請求項１乃至４のいずれか１項に記載の信号伝送方法。
【請求項６】
前記ダウンリンク信号は、共通制御チャネル信号又は共通参照信号を含み、前記共通制御チャネル信号又は共通参照信号の時間周波数リソースの位置は、ダウンリンク制御領域内に位置し、前記ダウンリンク制御領域は、無線フレーム内の前記複数の周波数ポイントに位置し、前記ダウンリンク制御領域の前記無線フレーム内での時間領域の長さは、前記無線フレームの長さより小さいことを特徴とする請求項１乃至５のいずれか１項に記載の信号伝送方法。
【請求項７】
前記信号伝送方法は、
前記ネットワーク設備が明示的又は黙示的に指示する前記ダウンリンク制御領域の情報を取得することをさらに含み、
前記ダウンリンク信号の時間周波数リソースの位置を確定することは、
前記ダウンリンク制御領域の情報に基づいて、前記ダウンリンク制御領域を確定することを含み、
前記ダウンリンク制御領域の情報に基づいて、前記ダウンリンク制御領域を確定することは、
前記複数の周波数ポイント中のそれぞれの周波数ポイントの開始位置と終了位置の情報と、
前記ダウンリンク制御領域が位置する前記無線フレームと前記無線フレームのサブフレームとの情報と、
前記ダウンリンク制御領域が、前記同期信号を送信する周波数ポイントに位置するかどうかを指示するための、前記同期信号に使用されたシーケンスの情報と、
前記ダウンリンク制御領域が前記同期信号と前記ブロードキャスト信号とを送信する周波数ポイントに位置するかどうかを指示するための、前記同期信号と前記ブロードキャスト信号の相対的な時間周波数位置の情報と、
前記ブロードキャスト信号の内容と、
前記ブロードキャスト信号が指示する基本的なシステム情報の内容と、
のうちの少なくとも一つを通じて前記ダウンリンク制御領域を確定することを含むことを特徴とする
請求項６に記載の信号伝送方法。
【請求項８】
前記ダウンリンク信号は、測定参照信号を含み、
前記ダウンリンク信号の時間周波数リソースの位置に基づいて、前記ネットワーク設備が送信した前記ダウンリンク信号を受信することは、
前記複数の周波数ポイントの非ダウンリンク制御領域内で、前記ネットワーク設備が周期的に送信した前記測定参照信号を受信することを含むことを特徴とする
請求項１乃至７のいずれか１項に記載の信号伝送方法。
【請求項９】
端末設備であって、
同期信号、ブロードキャスト信号、共通制御チャネル信号、共通参照信号、測定参照信号のうちの少なくとも一つを含むダウンリンク信号の時間周波数リソースの位置を確定するように構成され、前記ダウンリンク信号の時間周波数リソースの位置は、所定の時間内の搬送波の複数の周波数ポイントに位置し、前記複数の周波数ポイントは、前記搬送波の帯域幅内の部分的な周波数ポイントである確定モジュールと、
前記ダウンリンク信号の時間周波数リソースの位置に基づいて、ネットワーク設備が送信した前記ダウンリンク信号を受信するように構成される受信モジュールとを含む端末設備。
【請求項１０】
前記ダウンリンク信号は、同期信号を含み、
前記受信モジュールは、具体的に、前記複数の周波数ポイントで、前記ネットワーク設備が周期的に送信した前記同期信号を受信するように構成されることを特徴とする
請求項９に記載の端末設備。
【請求項１１】
前記複数の周波数ポイント中の異なる周波数ポイントで前記同期信号を送信する周期は、同じであるか又は異なることを特徴とする
請求項１０に記載の端末設備。
【請求項１２】
前記複数の周波数ポイント中の異なる周波数ポイントで前記同期信号を送信することに使用されるシーケンスは、同じであるか又は異なることを特徴とする
請求項１０又は１１に記載の端末設備。
【請求項１３】
前記ダウンリンク信号は、ブロードキャスト信号を含み、
前記受信モジュールは、具体的に、前記複数の周波数ポイントで、前記ネットワーク設備が周期的に送信した前記ブロードキャスト信号を受信するように構成されることを特徴とする
請求項１０乃至１２のいずれか１項に記載の端末設備。
【請求項１４】
前記ダウンリンク信号は、共通制御チャネル信号又は共通参照信号を含み、前記共通制御チャネル信号又は共通参照信号の時間周波数リソースの位置は、ダウンリンク制御領域内に位置し、前記ダウンリンク制御領域は、無線フレーム内の前記複数の周波数ポイントに位置し、前記ダウンリンク制御領域の前記無線フレーム内での時間領域の長さは、前記無線フレームの長さより小さいことを特徴とする
請求項９乃至１３のいずれか１項に記載の端末設備。
【請求項１５】
前記受信モジュールは、前記ネットワーク設備が明示的又は黙示的に指示する前記ダウンリンク制御領域の情報を取得するようにさらに構成され、
前記確定モジュールは、具体的に、前記ダウンリンク制御領域の情報に基づいて、前記ダウンリンク制御領域を確定するように構成され、
前記確定モジュールは、具体的に、
前記複数の周波数ポイント中のそれぞれの周波数ポイントの開始位置と終了位置の情報と、
前記ダウンリンク制御領域が位置する前記無線フレームと前記無線フレームのサブフレームとの情報と、
前記ダウンリンク制御領域が前記同期信号を送信する周波数ポイントに位置するかどうかを指示するための、前記同期信号に使用されたシーケンスの情報と、
前記ダウンリンク制御領域が前記同期信号と前記ブロードキャスト信号とを送信する周波数ポイントに位置するかどうかを指示するための、前記同期信号と前記ブロードキャスト信号の相対的な時間周波数位置の情報と、
前記ブロードキャスト信号の内容と、
前記ブロードキャスト信号が指示する基本的なシステム情報の内容と、
のうちの少なくとも一つを通じて前記ダウンリンク制御領域を確定するように構成されることを特徴とする
請求項１４に記載の端末設備。
【請求項１６】
前記ダウンリンク信号は、測定参照信号を含み、
前記受信モジュールは、具体的に、前記複数の周波数ポイントの非ダウンリンク制御領域内で、前記ネットワーク設備が周期的に送信した前記測定参照信号を受信するように構成されることを特徴とする
請求項９乃至１５のいずれか１項に記載の端末設備。
【国際調査報告】
2019521539.tif 000015
2019521539.tif 000016
2019521539.tif 000017
2019521539.tif 000018